(57)【特許請求の範囲】
【請求項１】
湾曲した浴槽壁部に設けた複数の挿通孔と、各挿通孔へ挿着した取付具と、浴槽内側に配置すると共に複数の取付具で取付けたグリツプとを備え、浴槽壁部の外側面に形成した各挿通孔の外側開口周縁部に取付具の一部を当接し、浴槽壁部の内側面にグリツプの取付面を当接した浴槽用グリツプの取付構造において、前記グリツプの取付面は、前記取付具と連結する箇所より下方の下半域に、下方へ行く程に浴槽壁部の内側面から離反する応力緩和用後退面を形成したことを特徴とする浴槽用グリツプの取付構造。
【請求項２】
浴槽壁部に当接させる取付面を形成した浴槽用グリツプにおいて、前記取付面の下半域に、前記取付面の上半域よりグリツプ握部側へ後退する応力緩和用後退面を形成したことを特徴とする浴槽用グリツプ。
【発明の詳細な説明】
【０００１】
【発明の属する技術分野】
本発明は、浴槽に取り付けられる浴槽用グリツプ及びその取付け構造に関するものである。
【０００２】
【従来の技術】
図６に示すように、浴槽１の内側１ａに配置するグリツプ２を浴槽壁部１ｂに取り付けるとき、グリツプ２と対向する浴槽壁部１ｂの部分が湾曲しているものがある。この湾曲した浴槽壁部１ｂに浴槽用グリツプ２を取付ける構造としては、図７及び図８に示すものがある。この取付構造は、湾曲した浴槽壁部１ｂに設けた複数の挿通孔３，３と、各挿通孔３へ挿着した取付具４と、浴槽内側１ａに配置して複数の取付具４，４で取付けたグリツプ２とを備え、浴槽壁部１ｂの外側面１ｃに形成した各挿通孔３の外側開口周縁面１ｄに、取付具４の一部を当接したものである。この取付け構造は、湾曲した浴槽壁部１ｂに取付具４を先に取り付けることにより、浴槽内側１ａでグリツプ２の取付けができるようになつており、施工後のグリツプ２の交換を可能としてある。
【０００３】
上記取付具４は、浴槽内側１ａへ突出してグリツプ２に連結する円錐台状の連結部４ａと、連結部４ａの底面側から突出したボルト４ｂと、ボルト４ｂに外嵌するパツキン４ｃ及びワツシヤ４ｄと、ボルト４ｂに螺着するナツト４ｅと、連結部４ａのネジ部４ｇに螺着する止めビス４ｆとからなり、浴槽壁部１ｂの挿通孔３へ挿通したボルト４ｂにナツト４ｅを緊締することにより、ナツト４ｅと連結部４ａとで挿通孔３の周縁を挟圧するようにして取付けられる。上記グリツプ２は、両側の連結部２ａ，２ａの夫々に円錐台状の連結凹部２ｂ及びビス孔２ｃを設けてある。グリツプ２は、握り部２ｄの断面形状が一様となるように形成されている。取付具４，４とグリツプ２との連結は、グリツプ２の各連結凹部２ｂに取付具４の連結部４ａを挿着すると共に、グリツプ２の各ビス孔２ｃへ挿入した止めビス４ｆを連結部４ａのネジ部４ｇに螺着して行われる。
【０００４】
【発明が解決しようとする課題】
入浴者がグリツプ２を握って立ち上がるとき、浴槽壁部１ｂから張り出したグリツプ２には、図８に示す矢符Ｍ方向に曲げモーメントが生じる。この曲げモーメントは、浴槽壁部１ｂに当接するグリツプ２の当接面２ｅの下半域に圧縮応力を生じさせる。そして、この圧縮応力は、下方へ行く程に大きくなるため、浴槽壁部１ｂにクラツクを生じさせることがある。
【０００５】
本発明は、上記問題を解決するために、グリツプを握って立ち上がるときに大きな応力を生じさせない取付構造及びグリツプの提供を目的とする。
【０００６】
【課題を解決するための手段】
グリツプを握って立ち上がるときに大きな応力を生じさせないために請求項１記載の本発明が採用した手段は、湾曲した浴槽壁部に設けた複数の挿通孔と、各挿通孔へ挿着した取付具と、浴槽内側に配置すると共に複数の取付具で取付けたグリツプとを備え、浴槽壁部の外側面に形成した各挿通孔の外側開口周縁部に取付具の一部を当接し、浴槽壁部の内側面にグリツプの取付面を当接した浴槽用グリツプの取付構造において、前記グリツプの取付面は、前記取付具と連結する箇所より下方の下半域に、下方へ行く程に浴槽壁部の内側面から離反する応力緩和用後退面を形成したことを特徴とする浴槽用グリツプの取付構造である。
本発明にあつては、入浴者がグリツプを握って立ち上がるときに生じる曲げモーメントでグリツプが曲げモーメント方向へ変位するとき、グリツプの取付面下半域の応力緩和用後退面も変位できるため、グリツプの取付面の下半域と対向する浴槽壁部の部分に大きな圧縮応力を発生させることがない。
【０００７】
グリツプを握って立ち上がるときに大きな応力を生じさせないために請求項２記載の本発明が採用した手段は、浴槽壁部に当接させる取付面を形成した浴槽用グリツプにおいて、前記取付面の下半域に、前記取付面の上半域よりグリツプ握部側へ後退する応力緩和用後退面を形成したことを特徴とする浴槽用グリツプである。
本発明にあつては、浴槽壁部にグリツプを取り付けたとき、グリツプの取付面下半域に形成された応力緩和用後退面と浴槽壁部との間に隙間が形成されるため、入浴者がグリツプを握って立ち上がるときに生じる曲げモーメントでグリツプが曲げモーメント方向へ変位するとき、グリツプの取付面下半域の応力緩和用後退面も変位できるため、グリツプの取付面の下半域と対向する浴槽壁部の部分に大きな圧縮応力を発生させることがない。
【０００８】
【発明の実施の形態】
以下、本発明に係る浴槽用グリツプの取付構造及び浴槽用グリツプを図面に示す実施の形態に基づいて説明する。
【０００９】
（第１の実施の形態）
図１乃至図４は本発明に係る浴槽用グリツプの取付構造及び浴槽用グリツプの第１の実施の形態を示すものであつて、図１は取付け状態の主要部を断面して示す平面図、図２（Ａ）は取付け状態の正面図、同図（Ｂ）は（Ａ）のｂ−ｂ線における端面図、同図（Ｃ）は（Ａ）のｃ−ｃ線における端面図、図３（Ａ）は図１のｂ−ｂ線における拡大した右側断面図、同図（Ｂ）はグリツプの取付面を拡大して示す背面図、図４（Ａ）は取付具の平面図、同図（Ｂ）は取付具の正面図、同図（Ｃ）は取付具の側面図である。
【００１０】
本実施形態の浴槽用グリツプの取付構造は、図１乃至図３に示す如く、浴槽１１の湾曲した浴槽壁部１１ｂに設けた挿通孔１３，１３と、各挿通孔１３へ挿着した取付具１４と、浴槽内側１１ａに配置して取付具１４，１４で取付けたグリツプ１２とを備えている。本取付構造の第１の改良点は、複数の取付具１４，１４の挿通方向に沿う中心線ａ，ａどうしを平行とし、浴槽壁部１１ｂの外側面１１ｃに形成した各挿通孔１３の外側開口周縁面１１ｄを取付具１４の中心線ａと直交する平坦面とし、各外側開口周縁面１１ｄに大きな当て板１５，ワツシヤ１４ｄを介し又は介することなく取付具１４の一部であるナツト１４ｅを当接したことである。浴槽１１の湾曲した浴槽壁部１１ｂは、複数の取付具１４，１４の挿通方向に沿う中心線ａ，ａどうしを平行とするために、複数の挿通孔１３，１３の挿通方向に沿う中心線どうしを平行または略々平行とし、更に各挿通孔１３の外側開口周縁面１１ｄを取付具１４の中心線ａと直交する平坦面とするために、各挿通孔１３の外側開口周縁面１１ｄを挿通孔１３の中心線と直交する平坦面としてある。
【００１１】
浴槽１１は、繊維強化プラスチツク等の合成樹脂素材等から成形されている。そして、各外側開口周縁面１１ｄは、湾曲した浴槽壁部１１ｂを肉盛りするようにして浴槽壁部１１ｂと一体に形成され、平坦面とすることで、取付具１４を取付けたときの取付応力が外側開口周縁面１１ｄの全周囲へ均等に伝達して応力集中を生じさせないようにしてある。各外側開口周縁面１１ｄは、大きな当て板１５を予め貼着しておくこともある。
【００１２】
前記取付具１４は、図３及び図４に示す如く、浴槽内側１１ａへ突出してグリツプ１２に連結する舌片状の連結部１４ａと、連結部１４ａの根元部を形成する基盤部１４ｈの底面側から突出したボルト１４ｂと、ボルト１４ｂに外嵌するパツキン１４ｃ及びワツシヤ１４ｄと、ボルト１４ｂに螺着するナツト１４ｅと、連結部１４ａのネジ部１４ｇに螺着する止めビス１４ｆとからなり、浴槽壁部１１ｂの挿通孔１３へ挿通したボルト１４ｂにナツト１４ｅを螺着することにより、挿通孔１３の周縁をパツキン１４ｃ，ワツシヤ１４ｄを介してナツト１４ｅと基盤部１４ｈとで挟圧するようにして取付けられる。
【００１３】
前記グリツプ１２は、図３に示す如く、両側の連結部１２ａ，１２ａの夫々に、前記取付具１４の舌片状の連結部１４ａが嵌入する連結凹部１２ｂとビス孔１２ｃとを設けてある。グリツプ１２は、浴槽壁部１１ｂへ当接させる取付面１２ｅに、連結凹部１２ｂの位置を境界として上半域１２ｅ−１と下半域１２ｅ−２とが形成されると共に、下半域１２ｅ−２の下方寄りに応力緩和用後退面１２ｅ−３を形成してある。応力緩和用後退面１２ｅ−３は、上半域１２ｅ−２よりグリツプ握部１２ｄ側へ後退するように、半径Ｒ（例えば、Ｒ＝１０〜２０ｍｍ，好ましくは１５ｍｍ）の曲面からなり、上半域１２ｅ−２より後退する最大隙間寸法Ｇが０．５〜２．０ｍｍの範囲であつて、下半域１２ｅ−２の高さの１／４〜１／２（好ましくは１／３）の高さＨとなるように形成されている。入浴者がグリツプ１２を握って立ち上がるときに生じる曲げモーメントＭによりグリツプ１２が曲げモーメント方向へ変位するとき、応力緩和用後退面１２ｅ−３も変位するため、グリツプ１２の取付面１２ｅの下半域１２ｅ−２と対向する浴槽壁部１１ｂの部分に大きな圧縮応力を発生させることがない。グリツプ１２の取付面１２ｅが当接する浴槽壁部１１ｂの内側面１１ｂ−１（図１参照）がグリツプ１２の長手方向に湾曲している場合、グリツプ１２の取付面１２ｅは、湾曲する内側面１１ｂ−１に沿うように傾斜面または湾曲面とする。
【００１４】
前記グリツプ１２は、図１及び図２に示す如く、両側の連結部１２ａ，１２ａの間に形成した握り部１２ｄに、その長手方向に沿って大径域１２ｄ−１と小径域１２ｄ−２とを交互に形成し、隣接する大径域１２ｄ−１と小径域１２ｄ−２とを指の引っ掛かる滑らかな曲面１２ｄ−３でつなげてある。グリツプ１２は、握り部１２ｄの下面側に、小径域１２ｄ−１によって形成されるくびれ部１２ｄ−４を設け、くびれ部１２ｄ−４を上方から見え難くくして意匠性の向上を図ると共に、くびれ部１２ｄ−４に指先が引っ掛かりやすくして滑り難くさの向上を図ってある。グリツプ１２は、握り部１２ｄの上面側１２ｄ−５を連続した曲面で形成してある。
【００１５】
前記取付具１４，１４とグリツプ１２との連結は、グリツプ１２の各連結凹部１２ｂに取付具１４の連結部１４ａを挿着すると共に、グリツプ１２の各ビス孔１２ｃへ挿入した止めビス１４ｆを連結部１４ａのネジ部１４ｇに螺着して行われる。グリツプ１２の取付面１２ｅと浴槽壁部１１ｂとの間には、パツキン１６が挟持される。
【００１６】
次に、本実施の態様における取付け作業手順は、次の通り行われる。先ず、浴槽１１の湾曲した浴槽壁部１１ｂの所定位置に挿通孔１３，１３を平行に穿設する。次に、各挿通孔１３へ取付具１４のボルト１４ｂを挿通した後、ボルト１４ｂに螺着したナツト１４ｅを締めつけることにより、ナツト１４ｅと基盤部１４ｈとで挿通孔１３の周縁を挟圧するようにして、浴槽壁部１１ｂに取付具１４，１４を平行または略々平行な状態に取付ける。最後に、取付具１４，１４に向かってグリツプ１２を移動させ、グリツプ１２の各連結凹部１２ｂに取付具１４の連結部１４ａを挿着すると共に、グリツプ１２の各ビス孔１２ｃへ挿入した止めビス１４ｆを連結部１４ａのネジ部１４ｇに螺着することで、取付け作業を完了する。なお、取付具１４は、基盤部１４ｈと浴槽壁部１１ｂとの間にパツキン１４ｃを挟持させるため、挿通孔１３の周縁を均一に挟圧することができる。
【００１７】
本実施形態の取付構造は、挿通孔１３，１３どうしを平行としてあるため、挿通孔１３，１３に挿着した取付具１４，１４どうしの中心線を平行まは略々平行とすることができるため、取付具１４の連結部１４ａを舌片状に標準化したものを用いて容易にグリツプ１２を取り付けることができる。更に、本実施形態の取付構造は、各挿通孔１３の外側開口周縁面１１ｄを取付具１４の中心線ａと直交する平坦面としてあるため、ボルト１４ｂにナツト１４ｅを締めつけることにより取付具１４の中心線ａに沿って発生する取付力を外側開口周縁面１１ｄの全周囲に均等に伝達させることがでることになり、浴槽壁部１１ｂにクラツクを生じさせることがない。
【００１８】
（第２の実施の形態）
図５は本発明に係る浴槽用グリツプの取付構造の第２の実施の形態を示すものであつて、取付け状態の主要部を断面して示す平面図である。
【００１９】
本実施の形態の取付構造が前記第１の実施の形態と相違する所は、大きく湾曲した浴槽壁部１１ｂのグリツプ１２が当接する複数の内側当接面部１１ｅを取付具１４の中心線ａと直交する平坦面としたことである。浴槽１１の湾曲した浴槽壁部１１ｂは、グリツプ１２が当接する複数の内側当接面部１１ｅを取付具１４の中心線ａと直交する平坦面とするために、複数の内側当接面部１１ｅを挿通孔１３の中心線と直交する平坦面としてある。この相違点以外の構造は、前記第１の実施の形態と実質的に同一であり、前記取付具１４，１４及びグリツプ１２が用いられる。
【００２０】
本取付構造は、湾曲した浴槽壁部１１ｂの曲率半径に関係なく浴槽壁部１１ｂの外側開口周縁面１１ｄ，１１ｄと内側当接面部１１ｅ，１１ｅとが平行となると共に、内側当接面部１１ｅ，１１ｅが平行となり又は同一仮想平面に位置するようになるため、グリツプ１２の浴槽壁部１１ｂに当接する複数の取付面１２ｅが平行なもの又は同一仮想平面に位置するものを用いることができ、グリツプ１２の標準化も図れる。
【００２１】
（第３の実施の形態）
本発明の取付構造は、図示は省略したが、前記取付具１４の代わりに取付具としてボルトを用いることも可能である。すなわち、平行な複数の挿通孔１３に浴槽外側から頭付きボルトを挿入すると共に、グリツブの連結部に設けられた雌ネジ部に該ボルトを螺着して締めつけることにより、浴槽壁部１１ｂにグリツプを取り付けることもある。この場合にも、ボルトの締付けにより発生する取付力を外側開口周縁面１１ｄの全周囲に均等に伝達させることができ、浴槽壁部１１ｂにクラツクが生じさせることがない。
【００２２】
【発明の効果】
請求項１記載の本発明に係る浴槽用グリツプの取付構造は、入浴者がグリツプを握って立ち上がるとき、グリツプの取付面の下半域と対向する浴槽壁部の部分に大きな圧縮応力を発生させることがないため、浴槽壁部にクラツクを生じさせることがない。
【００２３】
請求項２記載の本発明に係る浴槽用グリツプは、浴槽壁部に取付けられた状態で入浴者が握って立ち上がるとき、グリツプの取付面の下半域と対向する浴槽壁部の部分に大きな圧縮応力を発生させることがないため、浴槽壁部にクラツクを生じさせることがない。
【図面の簡単な説明】
【図１】本発明に係る浴槽用グリツプの取付構造及び浴槽用グリツプの第１の実施の形態を示すものであつて、取付け状態の主要部を断面して示す平面図である。
【図２】同実施の形態におけるグリツプを示すものであつて、（Ａ）は取付け状態の正面図、（Ｂ）は（Ａ）のｂ−ｂ線における端面図、（Ｃ）は（Ａ）のｃ−ｃ線における端面図である。
【図３】（Ａ）は図１のｂ−ｂ線における拡大した右側断面図、同図（Ｂ）はグリツプの取付面を拡大して示す背面図である。
【図４】同実施の形態における取付具を示すものであつて、（Ａ）は平面図、（Ｂ）は正面図、（Ｃ）は側面図である。
【図５】本発明に係る浴槽用グリツプの取付構造の第２の実施の形態を示すものであつて、取付け状態の主要部を断面して示す平面図である。
【図６】従来の浴槽用グリツプの取付構造を示すものてあつて、（Ａ）は平面図、（Ｂ）は断面した正面図である。
【図７】従来の浴槽用グリツプの取付構造においてグリツプを取り付ける前の状態を分解して示す部分断面した平面図である。
【図８】従来の浴槽用グリツプの取付構造の要部を拡大して示す側面図である。
【符号の説明】
１１…浴槽、１１ａ…内側、１１ｂ…浴槽壁部、１２…グリツプ、１２ｅ…応力緩和用後退面、１２ｄ−４…くびれ部、１３…挿通孔、１４…取付具
【図１】
0003605713.tif 000002
【図２】
0003605713.tif 000003
【図３】
0003605713.tif 000004
【図４】
0003605713.tif 000005
【図５】
0003605713.tif 000006
【図６】
0003605713.tif 000007
【図７】
0003605713.tif 000008
【図８】
0003605713.tif 000009